(57)【特許請求の範囲】
【請求項１】
第１の終端部および第２の終端部を有する筐体と、
第１の端部および第２の端部を有するモーターと、
前記筐体の内部に回転可能に座設されており、前記筐体の前記第２の終端部に画定されている開口に近接した位置に設けられ、複数の個別リングを有する回転式リング構造と、
前記筐体に結合されており、バブル発生液を格納する容器と、
前記回転式リング構造に近接した位置に設けられ、液体排出口を有する液体供給部と、
前記容器内に延伸している第１の端部および前記液体供給部に接続されている第２の端部を有する導管と、
前記容器から前記バブル発生液を引き出して、前記導管を通して前記液体供給部に供給する吸い上げ機構と、
前記回転式リング構造を回転させる駆動機構と、
送風機と
を備え、
前記モーターは、前記吸い上げ機構、前記駆動機構および前記送風機に動力を供給し、
前記液体供給部は、前記複数の個別リングの１つのサイズよりも大きく、
前記回転式リング構造は、前記開口と前記液体供給部との間に設けられ、
前記バブル発生液は、前記液体供給部に設けられている前記液体排出口を通して前記回転式リング構造の前記複数の個別リングに供給されることにより、前記複数の個別リングに前記バブル発生液の膜を形成するバブル発生装置。
【請求項２】
前記筐体の前記第１の終端部は、ハンドルを持ち、前記筐体の前記第２の終端部は、筒部分を持つ請求項１に記載のバブル発生装置。
【請求項３】
前記モーターの前記第１の端部は、前記筐体の前記第１の終端部に近接しており、前記モーターの前記第２の端部は、前記筐体の前記第２の終端部に近接している請求項１または２に記載のバブル発生装置。
【請求項４】
前記回転式リング構造の前記複数の個別リングは、周方向において、互いに離間している請求項１から３のいずれか一項に記載のバブル発生装置。
【請求項５】
前記回転式リング構造の前記複数の個別リングはそれぞれ、アームによって中心ハブに接続されており、
前記アームの表面には溝が設けられている請求項１から４のいずれか一項に記載のバブル発生装置。
【請求項６】
前記複数の個別リングは、前記複数の個別リングのそれぞれの１以上の面に複数の個別の畝部を持つ請求項１から５のいずれか一項に記載のバブル発生装置。
【請求項７】
前記容器は、前記筐体の前記第２の終端部に近接した位置に設けられる請求項１から６のいずれか一項に記載のバブル発生装置。
【請求項８】
前記液体供給部は、前記筐体の前記第２の終端部における前記開口に近接した位置であって前記回転式リング構造の後方に設けられている請求項１から７のいずれか一項に記載のバブル発生装置。
【請求項９】
前記送風機は、前記モーターの前記第２の端部に結合されており、前記筐体の前記第２の終端部における前記開口に近接した位置にある請求項１から８のいずれか一項に記載のバブル発生装置。
【請求項１０】
前記モーターは、前記吸い上げ機構、前記駆動機構および前記送風機に、略同時に、動力を供給する請求項１から９のいずれか一項に記載のバブル発生装置。
【請求項１１】
前記駆動機構はさらに、
前記回転式リング構造の外周に設けられている円周歯車と、
前記モーターに結合されている第１の複数の歯車と、
前記第１の複数の歯車に結合されており、前記筐体の前記第１の終端部から前記筐体の前記第２の終端部における前記回転式リング構造まで延在している接続ロッドと、
前記接続ロッドおよび前記回転式リング構造の前記円周歯車に結合されている回転式駆動歯車と
を有する
請求項１から１０のいずれか一項に記載のバブル発生装置。
【請求項１２】
前記第１の複数の歯車は前記接続ロッドを回転させ、前記接続ロッドは前記回転式駆動歯車を回転させ、前記回転式駆動歯車は、前記液体供給部の前方に配置されている前記回転式リング構造を回転させる請求項１１に記載のバブル発生装置。
【請求項１３】
前記吸い上げ機構はさらに、
第１の複数の歯車に結合されているウォーム駆動部と、
前記ウォーム駆動部に結合されている第２の複数の歯車と
を有する請求項１から１２のいずれか一項に記載のバブル発生装置。
【請求項１４】
前記吸い上げ機構は、前記導管の中間部分に係合して、前記容器から前記バブル発生液を吸い上げて前記導管を通して前記液体供給部に供給する請求項１３に記載のバブル発生装置。
【請求項１５】
前記送風機が係合している場合、前記送風機は前記筐体の前記第１の終端部から前記筐体の前記第２の終端部へと、前記回転式リング構造を構成する前記複数の個別リングの前記バブル発生液の膜を通り抜けるように送風して、１以上のバブルを発生させる請求項１から１４のいずれか一項に記載のバブル発生装置。
【請求項１６】
第１の終端部および第２の終端部を有する筐体と、
第１のモーターと、
第２のモーターと、
前記筐体の内部に回転可能に座設されており、前記筐体の前記第２の終端部に画定されている開口に近接した位置にあり、複数の個別リングを有する回転式リング構造と、
前記筐体に結合されており、バブル発生液を格納している容器と、
前記回転式リング構造に近接した位置に設けられており、液体排出口を有する液体供給部と、
前記容器内に延伸している第１の端部および前記液体供給部に接続されている第２の端部を有する導管と、
前記容器から前記バブル発生液を引き出して前記導管を通して前記液体供給部に供給する吸い上げ機構と、
前記回転式リング構造を回転させる駆動機構と、
送風機と
を備え、
前記第１のモーターは、前記駆動機構および前記送風機に動力を供給し、
前記第２のモーターは、前記吸い上げ機構に動力を供給し、
前記液体供給部は、前記複数の個別リングの１つのサイズよりも大きく、
前記回転式リング構造は、前記開口と前記液体供給部との間に設けられ、
前記バブル発生液は、前記液体供給部に設けられている前記液体排出口を介して前記回転式リング構造の前記複数の個別リングに供給されることにより、前記複数の個別リングに前記バブル発生液の膜を形成する
バブル発生装置。
【請求項１７】
前記回転式リング構造の前記複数の個別リングは、円周方向において互いに離間している請求項１６に記載のバブル発生装置。
【請求項１８】
前記複数の個別リングは、前記複数の個別リングのそれぞれの１以上の面に複数の個別の畝部を持つ請求項１６または１７に記載のバブル発生装置。
【請求項１９】
前記筐体の前記第１の終端部はハンドルを持ち、前記筐体の前記第２の終端部は筒部分を持つ請求項１６から１８のいずれか一項に記載のバブル発生装置。
【請求項２０】
前記液体排出口が複数設けられ、
複数の前記液体排出口は、略垂直な軸に沿って並んでいる請求項１から１５のいずれか一項に記載のバブル発生装置。
【請求項２１】
前記液体排出口が複数設けられ、
複数の前記液体排出口は、略垂直な軸に沿って並んでいる請求項１６から１９のいずれか一項に記載のバブル発生装置。
【発明の詳細な説明】
【技術分野】
【０００１】
＜関連出願に関する優先権＞
本出願は、米国仮出願第６１／４３３，９４０号（出願日：２０１１年１月１９日）および米国仮出願第６１／５８２，７６１号（出願日：２０１２年１月３日）に基づき優先権を主張する。両仮出願の内容は全て、参照により本願に組み込まれる。
【０００２】
本開示は、バブル発生装置に関する。特に、回転式バブルリング構造および流出防止容器を備えるバブル発生装置に関する。
【背景技術】
【０００３】
多くのさまざまな種類のバブル発生機構が知られている。その１つとして、１以上のバブルリングにわたって一枚のバブル発生液の膜を形成し、送風機によって各リングの開口に向かって空気を吹き付けてバブルを発生させる。この方法は、さまざまな最終製品で具現化されているとしてよく、例えば、据え置き型バブル発生マシンまたは手持ち装置が挙げられる。最終製品には、さまざまな設計要件に応じて多岐にわたる部品が含まれるとしてよい。公知のバブル発生機構は通常、１以上のバブルリングをバブル発生液に浸漬させることができるように、液体容器を備える。しかし、このような機構では、バブルリングを容器内に浸漬させてバブルリングにわたって膜を形成するためには、液体容器を外囲環境に対して開口させる必要がある。液体容器が外囲環境に対して開口している場合、バブル発生液がこぼれ易く、無駄になってしまいがちである。これによって、バブル発生装置において内部が腐食する可能性、または、機械的故障が発生する可能性があり、製品の寿命が短くなってしまう。
【発明の概要】
【課題を解決するための手段】
【０００４】
開示した実施形態は、手持ちバブル発生装置またはその他の種類の装置であるバブル発生装置を含むとしてよい。当該装置は、銃、大砲、または、バブルを発生させる任意のその他の装置とよく似た外観を持つとしてよい。筺体と流出防止容器とが結合されているとしてよく、バブル発生液は、流出防止容器に保存されているとしてよい。管またはその他の装置によって、流出防止容器から、筐体内のバブルアセンブリ支持部へと、バブル発生液を連通させているとしてよい。バブルアセンブリ支持部は、回転式バブルリングの外周に沿って離間して設けられている複数の個別リングを含む回転式バブルリングを保持するとしてよい。個別リングはそれぞれ、液体供給部に近接した位置で向かい合って回転させると、バブルを発生させるために必要な量であって、各リングにわたって膜を形成するために十分な量のバブル発生液だけを受け取るとしてよい。個別リングをバブル発生液容器内に浸漬させる代わりに、それぞれの個別リングに放出されるバブル液の量を制限することによって、当該装置は、開口していない流出防止容器を組み込むことができる。空気を発生させて回転式バブルリングの個別リングのそれぞれにあるバブル発生液の膜に向けて吹き付けると、バブルが発生する。
【図面の簡単な説明】
【０００５】
【図１】本開示に応じたバブル発生装置を示す斜視図である。
【０００６】
【図２】本開示に応じた図１のバブル発生装置を示す部分断面図であり、筐体を切断して、筐体に接続されている容器および装置の一部を露出させて表示している。
【０００７】
【図３】本開示に応じた図１および図２のバブル発生装置を示す部分断面図であり、筐体を切断して装置の一部を露出させて表示しており、モーターカバーを切断して、バブル発生機構の一部を露出させて表示しており、容器を取り外してバブル発生機構の一部を露出させて表示している。
【０００８】
【図４】本開示に応じた、図１から図３の第２のモーター筐体を示す部分断面図であり、切断してバブル発生装置の一部を露出させて表示している。
【０００９】
【図５】本開示に応じた図１および図７のバブル発生装置を示す側面図であり、寸法ＨおよびＬを説明している図である。
【００１０】
【図６】本開示に応じた図１および図７のバブル発生装置を示す上面図であり、寸法Ｗを説明している図である。
【００１１】
【図７】本開示に応じたバブル発生装置の内部構成を示す分解図である。
【００１２】
【図８】本開示に応じた図７のモーター筺体を示す部分断面図であり、切断されてバブル発生装置の一部を露出させて表示している。
【００１３】
【図９】本開示に応じた図７および図８のバブル発生装置のモーター筐体を示す斜視図である。
【００１４】
【図１０】本開示に応じた図７から図９のバブル発生装置のモーター筐体を示す斜視図である。
【００１５】
【図１１】本開示に応じた図７から図１０のバブル発生装置のモーター筐体を示す斜視図である。
【発明を実施するための形態】
【００１６】
図１は、筐体２と、トリガ６と、容器１１と、液体供給部１３と、回転式リング構造１４と、通気性保護カバー２２とを備えるバブル発生装置１を示す斜視図である。図１に示すように、筐体２および容器１１は、バブル発生装置１の外観が銃に似たものになるように構成されているが、バブル発生装置１は、大砲またはバブルを発生させる任意のその他の装置によく似た外観を持つように構成されるとしてもよい。筺体２の実施形態例では、筐体２は、筒部分２ｂと、そこから延在しているハンドル部分２ａとを有するとしてよい。ある実施形態によると、バブル発生装置１は、据え置き型として設計されるとしてよく、ハンドル部を含まないとしてもよい。図１のバブル発生装置１は、図２から図４でより詳細に説明する。
【００１７】
図２は、図１のバブル発生装置１を示す部分断面図である。筐体２を切断して、装置１の内部構成要素、および、筐体２に取り外し可能に接続されている容器１１を露出して表示している。図３は、図１および図２のバブル発生装置１を示す部分断面図である。第１および第２のモーター筐体７、１２を切断して、バブル発生装置１のさらに一部を露出させて表示するとともに、容器１１を切断して容器１１の構成要素を露出させて表示している。
【００１８】
容器１１は、バブル発生液（不図示）を保持するとしてよく、容器コネクタ１０によって筐体２に結合されているとしてよい。容器１１は、さまざまな形状を持つとしてよい。例えば、容器１１は、図２に示すように円筒形状の容器であってよく、または、所望に応じて任意のその他の形状であってよい。ある実施形態によると、容器１１および容器コネクタ１０は、筐体２の開口２ｃに近接した位置であって、筐体２のハンドル２ａの反対側に配設するとしてよい。容器コネクタ１０は、容器１１を筐体２に結合するためのさまざまな結合機構のうち１以上を含むとしてよい。ある実施形態例によると、容器コネクタ１０は、容器１１の対応するネジ状上側部分を挿入するためのネジ状凹状領域を持つとしてよい。他の適切な結合メカニズムを利用し得るものと考えられたい。例えば、機械ラッチまたは閉まりばめ等を利用するとしてよい。容器コネクタ１０は、筐体２と一体的に形成されているとしてもよいし、または、筐体２に取り外し可能に取り付けられているとしてもよい。
【００１９】
容器コネクタ１０を用いて容器１１を筐体２に結合すると、容器コネクタ１０は、容器１１の上方に配置されるカバーとなり、容器１１と協働して、バブル発生液を容器１１内に保持するべく実質的に密閉された空間を形成する。容器コネクタ１０には、バブル発生液を容器１１から取り出すと共に、バブル発生液の破棄分を容器１１へと回収して戻すことが可能になるように１以上の小さい開口（不図示）が画定されているとしてよい。ある実施形態によると、小さい開口は、排液管２３を用いて液体の破棄分を容器１１に回収して戻す場合に、管９を介して容器１１から液体を取り出す作業の邪魔にならないようにするべく、不連続に形成されている。管９の第１の端部は、容器１１の内部へと延在しており、バブル発生液（不図示）内へと挿入されるとしてよい。管９は、筐体２の中を通過して延在して、第１のモーター筐体７に設けられている第１複数の歯車１９と係合するとしてよく、バブル発生供給部１３に近接した位置の管９の第２の端部で終端するとしてよい。
【００２０】
バブル発生供給部１３は、管９から供給されるバブル発生液を通過させて、回転式リング構造１４へと供給してバブルを形成させる内部導管を有するとしてよい。ある実施形態によると、バブル発生供給部１３は、筐体２と一体的に成型されるとしてよい。バブル発生供給部１３は、筐体２の筒部分２ｂの前側部分の近傍に配置されているとしてよい。別の実施形態によると、バブル発生供給部１３は、モジュラー式の部品であるとしてよく、筐体２に取り外し可能に取り付けられているとしてよい。バブル発生供給部１３は、図４により詳細に図示されている。
【００２１】
一部の実施形態によると、装置１００は、筐体２のハンドル部２ａから延在しているトリガ６を備えるとしてよい。トリガ６は、バネ６ｂによって、装置１００を操作する人物が握ることによって加えられる圧力によって動かすことができる。実施形態例によると、筐体２は、第１のモーター筐体７および第２のモーター筐体１２を内蔵している。第１および第２のモーター筐体７および１２はそれぞれ、電子モーターを支持するとしてよい。第１のモーター筐体７は、第１のモーター７ａを内蔵および支持しているとしてよく、第２のモーター筐体１２は、第２のモーター１６を内蔵および支持しているとしてよい。ある実施形態によると、モーター７ａ、１６は、電源から電力供給を受けるとしてよい。ある実施形態によると、電源は、蓄電地室４に収容されている電池（不図示）であってよく、トリガ６が係合すると、電極５によって電池との間に電気的接続が構築され、電子モーター７ａ、１６をアクティブ化するとしてよい。
【００２２】
回転式リング構造１４は、筐体２の筒部分２ｂの先端において第２のモーター筐体１２に近接した位置に設けられるとしてよい。クモの巣状の通気性保護カバー２２は、筐体２の内部に設けられており、回転式リング構造１４と第２のモーター筐体１２との間に設けられているとしてよく、通気性保護カバー２２は、バブル発生装置１の筺体２の内部空間に外部からゴミが入らないように構成されているとしてよい。送風機１８は、第２のモーター筐体１２の内部に設けられているとしてよく、筐体２のハンドル２ａに近接した位置において第２のモーター１６の第１の端部に接続されているとしてよい。第２の複数の歯車２０は、筐体２の開口２ｃに近接した位置において、第２のモーター１６の第２の端部に接続されているとしてよい。動作について説明すると、第２のモーター１６は、送風機１８を回転させて通気性保護カバー２２を通して外向きの方向に筐体２の開口２ｃから空気を送ると同時に、第２の複数の歯車２０を回転させて回転式リング構造１４を回転させるとしてよい。
【００２３】
回転式リング構造１４は、通気性保護カバー２２を貫通している中心旋回軸３０において第２の複数の歯車２０に結合されているとしてよく、複数のアーム３２が中心旋回軸３０から外向きに延伸しているとしてよい。個別バブルリング３４は、アーム３２の端部に配設されており、回転式リング構造１４の円周方向において互いに離間して設けられているとしてよい。個別バブルリング３４はそれぞれ、膜を形成するべく、各リング３４の開口にわたってバブル発生液を均一に広げることが出来るように、複数の放射状に延伸する畝部３６を含むとしてよい。ある実施形態によると、リング３４の内側エッジからリング３４の外側エッジまで放射状に延伸する畝部３６は、筐体２の内部とは反対側を向くように、各リング３４の正面に設けられるとしてよい。別の実施形態によると、同様の畝部３６は、各リング３４の表面に設けられると共に、筐体２の内部を向くように裏面にも設けられるとしてよい。図示した実施形態では、畝部３６は、表面から、エッジ面に沿って延在し、各リング３４の裏面まで延在しているとしてよい。
【００２４】
個別バブルリング３４の数、サイズおよび向きは、バブル発生装置１の具体的な実施形態のさまざまな設計検討項目に応じて異なると考えられたい。一実施形態によると、回転式リング構造１４は、６つの個別バブルリング３４を含んでいるとしてよいが、他の実施形態では、回転式リング構造１４が備える個別リング３４の数は、発生させるバブルの数を増減させるべく、増減させるとしてよい。リング３４のサイズは、さまざまなサイズのバブルを発生させるべく、それぞれ大きさを変えるとしてもよい。個別リング３４の向きは、バブルを流す所望の方向に応じて変えるとしてよい。
【００２５】
バブル発生供給部１３には、回転式リング構造１４に近接した位置において実質的に垂直な軸に沿って並べられている複数の液体排出口１３ａが設けられているとしてよい。バブル発生供給部１３は、筐体２の筒部分の先端に設けられているとしてよく、複数の液体排出口１３ａを通して個別バブルリング３４のそれぞれにバブル発生液を供給するとしてよい。回転式リング構造１４は、バブル発生供給部１３と直に接触しているか、または、バブル発生液が複数の液体排出口１３ａから回転式リング構造１４の個別バブルリング３４にバブル発生供給部１３から直接供給され得るように十分にバブル発生供給部１３に近い位置に設けられるとしてよい。バブル発生供給部１３と回転式リング構造１４とをどの程度近接して設けるかは、バブル発生液の膜がバブルリング３４に形成される際に余分な量が最小限に抑えられるように設定されるとしてよい。ある実施形態によると、複数の液体排出口１３ａは、バブル発生供給部１３にわたって略均一に圧力を発生させるような向きに構成されているとしてよく、これによって、バブルリング３４に形成される液体の膜の厚みに対する制御性がさらに高まると共に、余剰分が減るとしてよい。
【００２６】
ある実施形態によると、バブル発生供給部１３は、回転式リング構造１４と第２のモーター筐体１２との間に設けられているとしてよい。図示した実施形態によると、バブル発生供給部１３は、回転式リング構造１４が第２のモーター筐体１２とバブル発生供給部１３との間に位置するように、回転式リング構造１４の前方に設けられている。
【００２７】
図４は、図１から図３の第２のモーター筐体１２を示す部分断面図であり、切断してバブル発生装置の内部構成要素を露出して示している。図４から分かるように、第２のモーター筐体１２は、第２のモーター１６を格納しているとしてよい。第２のモーター１６は、第２のモーター１６の第１の端部にある送風機１８を駆動するとしてよく、第２のモーター１６の第２の端部において第２の複数の歯車２０と係合しているとしてよい。通気性保護カバー２２は、筐体の開口（不図示）に近接した位置において、第２のモーター筐体１２の端部に配置されているとしてよい。第２の複数の歯車２０は、通気性保護カバー２２を介して回転式リング構造１４に結合されているとしてよい。回転式リング構造１４は、液体供給部１３に近接した位置に設けられるとしてよい。管９は、液体供給部１３と連通しているとしてよく、バブル発生液（不図示）を複数の液体排出口１３ａを介して回転式リング構造１４の個別リングへと供給するとしてよい。この結果、第２のモーター１６および送風機１８が動作すると、バブル２４が発生する。
【００２８】
図１から図４を参照して動作について説明すると、トリガ６を握ると、電極５が第１のモーター７ａをアクティブ化するとしてよい。第１のモーター７ａは第１の複数の歯車１９に係合するとしてよい。第１のモーター７ａは、管９によって容器１１からバブル発生液を吸い上げて、管９を通してバブル発生液をバブル発生供給部１３へとポンプのように送り出すとしてよい。
【００２９】
バブル発生液は、バブル発生供給部１３において複数の液体排出口１３ａを通して供給されるとしてよく、回転式リング構造１４の個別リング３４に供給されるとしてよい。所定量のバブル発生液が複数の液体排出口１３ａを介して個別リング３４へと供給され、個別リング３４を被覆する膜を形成するとしてよい。ある実施形態によると、所定量は、個別リング３４から余分な液体がこぼれないように、または、そのような余分な液体を大幅に減らすような量によって決まる。しかし、余分なバブル発生液が複数の液体排出口１３ａを通して供給されると、図３に示すように、余分な量は排液管２３で排出され容器１１内に戻される。開口した上部に代えて、排液管２３および管９のための開口を不連続に設けているので、容器１１を略密閉したまま適切に液体を供給および排出することができるとしてよい。このため、こぼれることがなく、機械的故障が発生しない。
【００３０】
第１のモーター７ａがバブル発生液を送り出して個別リング３４に供給する一方、第２のモーター１６は送風機１８と係合しており、第２のモーター筐体１２を通り抜けるように空気を流す。第２の電子モーター１６は、通気性保護カバー２２および回転式リング構造１４を通過するように送風し、筐体２の筒部分２ｂの先端においてバブルを発生させるとしてよい。また、第２のモーター１６は、バブル発生供給部１３を通過するように中心旋回軸３０を中心に回転式リング構造１４を回転させて、連続的にそれぞれの個別リング３４に膜を形成するとしてよい。容器１１内に十分なバブル発生液があり、蓄電地室４の電池が充電されていて、トリガ６が係合すると第１のモーター７ａおよび第２のモーター１６に対する電力供給が可能である限り、バブル２４は連続的に形成されるとしてよい。
【００３１】
図７は、バブル発生装置１００の第２の実施形態例の内部構成を示す展開図である。図８は、図７のバブル発生装置１００の部分断面側面図である。図９は、図７および図８のバブル発生装置１００を示す部分斜視図である。図１０は、図７から図９を示すバブル発生装置１００を示す第１の斜視図である。図１１は、図７から図１０のバブル発生装置１００の第２の斜視図である。図７から図１１には図示していないが、バブル発生装置１００は、図１から図４に示す実施形態の構成を持つハンドル部、筒部分、および、開口、および、容器を有する筐体を備えるとしてよい。バブル発生装置１に関連してのこれらの構成要素の説明は、バブル発生装置１００に関する参照によって組み込まれ、ここでは繰り返し説明しない。
【００３２】
バブル発生装置１００は、トリガ１０６、管１０９およびモーター１０７ａを備えるとしてよい。これらの周囲は、モーター筐体１１２によって取り囲まれているとしてよい。ある実施形態によると、モーター１０７ａの第１の駆動端は、後方のバブル発生装置１００のハンドル部（不図示）に向いているとしてよく、第１の複数の歯車１２０およびウォーム駆動部１２１に結合されているとしてよい。モーター１０７ａの第１の駆動端は、第１の複数の歯車１２０およびウォーム駆動部１２１を回転させるとしてよい。ウォーム駆動部１２１は、第２の複数の歯車１１９に結合されているとしてよい。第１の複数の歯車１２０および第２の複数の歯車１１９の周囲は、歯車筐体１０７によって取り囲まれているとしてよい。
【００３３】
ある実施形態によると、モーター１０７ａの第２の駆動端は、バブル発生装置１００の先端の開口（不図示）に向いているとしてよく、送風機１１８に結合されているとしてよい。モーター１０７ａの第２の駆動端は、送風機１１８を回転させるとしてよい。バブル発生供給部１１３は、送風機１１８に近接した位置に設けられているとしてよい。回転式リング構造１１４は、バブル発生供給部１１３に近接した位置にであって、筐体の先端にある開口に近接した位置に設けられるとしてよい。回転式リング構造１１４は、１以上の接続アーム１３２で回転式リング構造１１４の中心ハブ１３３に接続されている１以上の個別バブルリング１３４を含むとしてよい。回転式リング構造１１４はさらに、回転式リング構造１１４の外周に沿って配置されている円周歯車１３０を含むとしてよい。回転式リング構造１１４は、バブル発生供給部１１３に直に接触しているか、または、バブル発生液がバブル発生供給部１１３から排出口１１３ａを介して回転式リング構造１１４の１以上の個別バブルリング１３４に直接供給できるように、バブル発生供給部１１３に十分近接した位置に設けられているとしてよい。バブル発生供給部１１３と回転式リング構造１１４との間をどの程度近接させるのかは、余分な量を最小限に抑えつつバブル発生液の膜がバブルリング１３４に形成され得るように設定されるとしてよい。
【００３４】
ある実施形態によると、排出口１１３ａから１以上の個別バブルリング１３４へとバブル発生液を供給する際に、液体が自然の重力に従って流れることを利用することが望ましいとしてよい。このように、モーター１０７ａは、バブル発生液が重力に従って流れる方向とは反対向きに回転式リング構造１１４を回転させるとしてよい。例えば、図７の実施形態で示すように、筐体（不図示）の開口において回転式リング構造１１４を正面から見ると、バブル発生供給部１１３は、開口を表す円を４分割した右下部分に配置されているとしてよい。この構成では、モーター１０７ａは、反時計回り方向に回転式リング構造１１４を回転させるとしてよい。バブル発生供給部１１３が開口を表す円を４分割した左下部分に配置されると、モーター１０７ａは、回転式リング構造１１４を時計回り方向に回転させるとしてよい。
【００３５】
棒部１２６は、第１の複数の歯車１２０に結合されているとしてよく、モーター筐体１１２の全長と同じ長さで、回転式リング構造１１４に近接した位置に配置される回転式リング駆動歯車１２８まで延在しているとしてよい。回転式リング駆動歯車１２８は、回転式リング構造１１４の外周に沿って配置されている円周歯車１３０と係合するとしてよい。
【００３６】
動作について説明すると、トリガ１０６が握られると、電極（不図示）を通して配電される電力によってモーター１０７ａが駆動され、第１の複数の歯車１２０およびウォーム駆動部１２１と係合し、ウォーム駆動部は第２の複数の歯車１１９と係合するとしてよい。モーター１０７ａおよび第２の複数の歯車１１９は、容器（不図示）から管１０９を通してバブル発生液を吸い上げて、バブル発生液をバブル発生供給部１１３まで送り出すとしてよい。所定量のバブル発生液が排出口１１３ａを通して回転式リング構造１１４の個別リング１３４へと供給され、個別リング１３４のそれぞれを被覆する膜を作成するとしてよい。余分な量のバブル発生液が排出口１１３ａを通して供給されると、または、バブル発生装置１００が垂直に９０度回転させられてバブル発生装置１００の開口（不図示）が上向きになると、余分な液体は回転式リング構造１１４の各アーム１３２に形成されている溝１３５に排出されるとしてよい。これらの溝１３５は、筐体に余分な液体がこぼれないようにするためのものであるとしてよく、余分な液体を個別リング１３４へと戻すように構成されているとしてよい。
【００３７】
モーター１０７ａおよび第１の複数の歯車１２０は、棒部１２６を回転させるとしてよい。棒部１２６は、回転式リング駆動歯車１２８を回転させるとしてよい。回転式リング駆動歯車１２８は、回転式リング構造１１４の外周に沿って設けられている円周歯車１３０と係合するので、モーター１０７ａが動作すると、第１の複数の歯車１２０が棒１２６を回転させ、棒部１２６が回転式駆動歯車１２８を回転させ、回転式駆動歯車１２８が、バブル発生供給部１１３の先端において円周歯車１３０および回転式リング構造１１４を回転させる。回転式リング構造１１４をバブル発生供給部１１３に近接した位置で回転させると、バブル発生液は排出口１１３ａを通して回転式リング構造１１４の個別リング１３４のそれぞれに供給される。
【００３８】
モーター１０７ａがバブル発生液を第２の複数の歯車１１９でバブル発生供給部１１３へと送り出し、回転式リング構造１１４を第１の複数の歯車１２０で回転させると、モーター１０７ａはさらに、送風機１１８を駆動して、モーター筐体１１２を通るようにバブル発生装置１００の後方からバブル発生装置１００の先端の開口（不図示）に向けて送風する。送風機１１８は、回転式リング構造１１４を通過するように送風し、バブル発生装置１００の先端においてバブルを発生させるとしてよい。
【００３９】
モーター１０７ａは、回転式リング構造１１４が詰まったり回転が停止したりしてもモーター１０７ａが過熱状態にならないように安全機構１２７を有するとしてよい。図８および図９に示す実施形態で説明するように、安全機構１２７は、第１の複数の歯車１２０のうちの１つと棒部１２６とを摩擦によって接続する。図示した例によると、安全機構１２７はバネであってよい。トリガ１０６が係合している場合に回転式リング構造１１４が詰まると、安全機構１２７は、棒部１２６から解除されて機械的に取り外されるとしてよい。このため、モーター１０７ａは、回転式リング構造１１４または棒部１２６を回転させることなく、第１の複数の歯車１２０の回転を継続するとしてよい。このため、モーター１０７ａは過熱状態にならない。
【００４０】
図５は、バブル発生装置２００を示す側面図である。寸法ＨおよびＬを説明している。図６は、本開示に応じた図５のバブル発生装置２００を示す上面図である。寸法Ｗが説明されている。図５および図６において、新規性のある寸法が図示されているとしてよい。
【００４１】
ある実施形態によると、バブル発生装置２００の高さＨは、約１８０ｃｍと２２０ｃｍとの間であるとしてよい。より具体的には、バブル発生装置２００の高さＨは、約１９０ｃｍと２１０ｃｍとの間であるとしてよい。さらに具体的には、バブル発生装置２００の高さＨは、約２００ｃｍであるとしてよい。
【００４２】
ある実施形態によると、バブル発生装置２００の長さＬは、約２０５ｃｍと２４５ｃｍとの間であるとしてよい。より具体的には、バブル発生装置２００の長さＬは、約２１５ｃｍと２３５ｃｍとの間であるとしてよい。さらに具体的には、バブル発生装置２００の長さＬは、約２２５ｃｍであってよい。
【００４３】
ある実施形態によると、バブル発生装置２００の幅Ｗは、約６５ｃｍと８５ｃｍとの間であるとしてよい。より具体的には、バブル発生装置２００の幅Ｗは、約７０ｃｍと８０ｃｍとの間であるとしてよい。さらに具体的には、バブル発生装置２００の幅Ｗは、約７５ｃｍであってよい。
【００４４】
図１から図４に示したバブル発生装置１および図７から図１１に示したバブル発生装置１００の寸法は、図５および図６に示した新規性のある実施形態で説明する寸法と同様または等しいとしてよい。
【００４５】
開示した概念に応じたさまざまな実施形態を上述してきたが、上記の内容は一例にすぎずこれらに限定されるものではないと理解されたい。このため、本発明の範囲は、上述した実施形態例のうちいずれによっても限定されるべきではなく、請求項および本開示から明らかである請求項の均等物に応じてのみ定義されるべきである。さらに、上述した利点および特徴は説明した実施形態で得られるが、上述した利点のうち一部またはすべてを実現するプロセスおよび構造に請求項の適用を限定するものではない。
【００４６】
また、本明細書のうちセクションタイトルは、米国特許法施行規則１．７７で定められている提案を順守して、そして、分かりやすいように設けられている。このようなセクションタイトルは、本開示から明らかである請求項に記載されている発明を限定または特徴付けするものではない。具体的には、「背景技術」欄における技術の説明は、当該技術が本開示に含まれる発明に対する先行技術であることを認めたものと解釈されるものではない。さらに、本開示においては、単数形で「発明」という用語を用いても、本開示における新規性は１つのみであると主張するために用いられるべきではない。本開示から明らかである複数の請求項に記載されている複数の限定事項に基づいて複数の発明が記載されている。このような請求項は、単数または複数の発明およびその均等物を定義するので、それらも保護の対象ともなる。どの場合であっても、このような請求項の範囲は、本開示を鑑みてそれ自身の真の特徴によって考慮すべきであるが、本明細書で記載するタイトルで制限されるべきではない。
【図１】
0005532501.tif 000002
【図２】
0005532501.tif 000003
【図３】
0005532501.tif 000004
【図４】
0005532501.tif 000005
【図５】
0005532501.tif 000006
【図６】
0005532501.tif 000007
【図７】
0005532501.tif 000008
【図８】
0005532501.tif 000009
【図９】
0005532501.tif 000010
【図１０】
0005532501.tif 000011
【図１１】
0005532501.tif 000012